(57)【要約】【課題】  不正規なフイルム詰め替え品の製造を防止できるレンズ付きフイルムユニットを提供する。【解決手段】  レンズ付きフイルムユニット２は、ロール状の写真フイルム３１を収納するフイルムロール室２２と、フイルムカートリッジ３０を収納するカートリッジ室２３とを有するユニット本体３が、カートリッジ室２３内を光密に封止する裏蓋１８を備えてなる。裏蓋１８の外表面に、粘着性のテープを離剥する離剥作用部１６が形成されている。これにより、不正規なフイルム詰め替え時に開放された裏蓋１８をテープで固定されることが防止される。また、フイルムロール室２２内を光密に封止する裏蓋１７を更に設け、裏蓋１８の外表面にも離剥作用部１６を形成すること、及びユニット本体３の外表面の裏蓋１７，１８の周辺部分にも離剥作用部１６を形成することが好ましい。【選択図】        図２
2005099201.tif 000002
【特許請求の範囲】
【請求項１】
ロール状の写真フイルムを収納するフイルムロール室と、フイルムカートリッジを収納するカートリッジ室とを有するユニット本体が、前記カートリッジ室内を光密に封止するカートリッジ室封止部材を備えてなるレンズ付きフイルムユニットにおいて、
前記カートリッジ室封止部材の外表面に、粘着性のテープを離剥する離剥作用部が形成されていることを特徴とするレンズ付きフイルムユニット。
【請求項２】
前記ユニット本体は、その外表面のうち少なくとも前記カートリッジ室封止部材の周辺部分に前記離剥作用部が形成されていることを特徴とする請求項１記載のレンズ付きフイルムユニット。
【請求項３】
前記ユニット本体は、前記フイルムロール室内を光密に封止するフイルムロール室封止部材を更に備え、このフイルムロール室封止部材の外表面に、前記離剥作用部が形成されていることを特徴とする請求項１又は２のいずれかに記載のレンズ付きフイルムユニット。
【請求項４】
前記ユニット本体は、その外表面のうち少なくとも前記フイルムロール室封止部材の周辺部分に前記離剥作用部が形成されていることを特徴とする請求項３記載のレンズ付きフイルムユニット。
【請求項５】
前記カートリッジ室封止部材は、前記カートリッジ室を封止する際に、その一端が接合された前記ユニット本体の面に対して傾斜するように、その他端が前記カートリッジ室内に係着されることを特徴とする請求項１ないし４いずれかに記載のレンズ付きフイルムユニット。
【請求項６】
前記カートリッジ室封止部材の前記他端に係止爪が設けられ、前記カートリッジ室内にこの係止爪と係着する係止孔が設けられ、封止された前記カートリッジ室を開放する際に、この係止孔に係着された係止爪が破壊されることを特徴とする請求項５記載のレンズ付きフイルムユニット。
【請求項７】
前記フイルムロール室封止部材は、前記フイルムロール室を封止する際に、その一端が接合された前記ユニット本体の面に対して傾斜するように、その他端が前記フイルムロール室内に係着されることを特徴とする請求項１ないし６いずれかに記載のレンズ付きフイルムユニット。
【請求項８】
前記フイルムロール室封止部材の前記他端に係止爪が設けられ、前記フイルムロール室内にこの係止爪と係着する係止孔が設けられ、封止された前記フイルムロール室を開放する際に、この係止孔に係着された係止爪が破壊されることを特徴とする請求項７記載のレンズ付きフイルムユニット。
【請求項９】
前記離剥作用部は、離剥作用を有する離剥材を塗布することによって形成されることを特徴とする請求項１ないし８いずれかに記載のレンズ付きフイルムユニット。
【請求項１０】
前記離剥作用部は、離剥作用を有する素材により形成されることを特徴とする請求項１ないし８いずれかに記載のレンズ付きフイルムユニット。
【請求項１１】
前記離剥材は、主成分がシリコンであることを特徴とする請求項９記載のレンズ付きフイルムユニット。
【請求項１２】
前記素材は、主成分がシリコンであることを特徴とする請求項１０記載のレンズ付きフイルムユニット。
【請求項１３】
前記ユニット本体には、ストラップの取り付けを可能とするストラップホルダーが設けられていることを特徴とする請求項１ないし１２いずれかに記載のレンズ付きフイルムユニット。
【発明の詳細な説明】
【技術分野】
【０００１】
本発明は、不正規なフイルム詰め替え品の製造を防止できるレンズ付きフイルムユニットに関するものである。
【背景技術】
【０００２】
予め未露光の写真フイルムが装填され、購入したその場で撮影が可能な１回使いきりのレンズ付きフイルムユニットが広く普及している。一般にレンズ付きフイルムユニットは、固定焦点レンズと一速シャッタからなる簡単な撮影機構を内蔵したユニット本体に、フイルムカートリッジ（パトローネやＡＰＳカートリッジ）を収納するカートリッジ室と、フイルムカートリッジから引き出した未露光の写真フイルムをロール状にしたフイルムロールを収納するフイルムロール室とが設けられている。レンズ付きフイルムユニットは、フイルムの巻上げ操作とシャッタ操作のみで撮影が行え、撮影終了後にそのまま現像所に持ち込むだけでフイルムの現像とプリントを依頼することができ、カメラに不慣れな人でも気軽に簡単に写真撮影を楽しむことができる。
【０００３】
近年、現像所で回収された使用済みのレンズ付きフイルムユニットに未使用の写真フイルムが再装填された製品が市場に出回っている。このフイルム詰め替え品は、製造元と異なる業者によって、使用済みのレンズ付きフイルムユニットに市販の写真フイルムが詰め直されたものである。フイルム詰め替え品は、製造元から提供される正規品に比べて極端に低コストで製造されており、これによる販売価格の差が正規品の流通を妨げる原因となっている。
【０００４】
そこで、製造元のメーカーでは、この不正規なフイルム詰め替え品の製造を防止する様々な工夫が検討されている。例えば、標準規格から規格変更を行うことによって不正規なフイルム詰め替えを防止するように、フイルム給送に使用するフイルムのパンフォレーションの大きさを変更したもの（例えば、特許文献１参照）、専用のフイルムカートリッジを使用したもの（例えば、特許文献２参照）、電池の形状を変更することで市販品を使用できなくしたもの（例えば、特許文献３参照）などが知られている。しかし、このような標準規格外の部品をメーカー独自で製造して使用することは大幅なコストアップを招くこととなる。
【０００５】
そこで、写真フイルム、フイルムカートリッジ、電池などの規格変更を行わずに、不正規なフイルム詰め替えを防止できるようにしたものとして、撮影済みのフイルムが収納されたフイルムカートリッジを取り出す際に、カートリッジ室内を光密に保つように底蓋等を固定する係止部が破壊されることを利用したものが知られている（例えば、特許文献４又は５参照）。
【０００６】
【特許文献１】特開平０９−１１３９５８号公報
【特許文献２】特開平１０−１７１０７０号公報
【特許文献３】特開２００１−１３６３４号公報
【特許文献４】特開平０８−２１１５６８号公報
【特許文献５】特開平１１−１４９１４１号公報
【発明の開示】
【発明が解決しようとする課題】
【０００７】
しかしながら、このようにしてフイルムカートリッジの取り出し時に底蓋を固定する係止部が破壊されたとしても、この底蓋を粘着性のテープ等で押さえることで簡単にレンズ付きフイルムユニット本体の修復を行うことができる。これでは不正規なフイルム詰め替え品の製造を効果的に防止することができない。
【０００８】
本発明は、上記問題点を考慮してなされたものであり、市販の写真フイルムを利用した不正規なフイルム詰め替え品の製造を効果的に防止することのできるレンズ付きフイルムユニットを提供することを目的とする。
【課題を解決するための手段】
【０００９】
本発明のレンズ付きフイルムユニットは、ロール状の写真フイルムを収納するフイルムロール室と、フイルムカートリッジを収納するカートリッジ室とを有するユニット本体が、前記カートリッジ室内を光密に封止するカートリッジ室封止部材を備えてなるレンズ付きフイルムユニットにおいて、前記カートリッジ室封止部材の外表面に、粘着性のテープを離剥する離剥作用部が形成されていることを特徴とするものである。
【００１０】
なお、前記ユニット本体は、その外表面のうち少なくとも前記カートリッジ室封止部材の周辺部分に前記離剥作用部が形成されていることが好ましい。
【００１１】
また、前記ユニット本体は、前記フイルムロール室内を光密に封止するフイルムロール室封止部材を更に備え、このフイルムロール室封止部材の外表面に、前記離剥作用部が形成されていることが好ましい。
【００１２】
また、前記ユニット本体は、その外表面のうち少なくとも前記フイルムロール室封止部材の周辺部分に前記離剥作用部が形成されていることが好ましい。
【００１３】
また、前記カートリッジ室封止部材は、前記カートリッジ室を封止する際に、その一端が接合された前記ユニット本体の面に対して傾斜するように、その他端が前記カートリッジ室内に係着されることが好ましい。
【００１４】
また、前記カートリッジ室封止部材の前記他端に係止爪が設けられ、前記カートリッジ室内にこの係止爪と係着する係止孔が設けられ、封止された前記カートリッジ室を開放する際に、この係止孔に係着された係止爪が破壊されることが好ましい。
【００１５】
また、前記フイルムロール室封止部材は、前記フイルムロール室を封止する際に、その一端が接合された前記ユニット本体の面に対して傾斜するように、その他端が前記フイルムロール室内に係着されることが好ましい。
【００１６】
前記フイルムロール室封止部材の前記他端に係止爪が設けられ、前記フイルムロール室内にこの係止爪と係着する係止孔が設けられ、封止された前記フイルムロール室を開放する際に、この係止孔に係着された係止爪が破壊されることが好ましい。
【００１７】
前記離剥作用部は、離剥作用を有する離剥材を塗布することによって形成されることが好ましい。
【００１８】
前記離剥作用部は、離剥作用を有する素材により形成されることが好ましい。
【００１９】
前記離剥材は、主成分がシリコンであることが好ましい。
【００２０】
前記素材は、主成分がシリコンであることが好ましい。
【００２１】
前記ユニット本体には、ストラップの取り付けを可能とするストラップホルダーが設けられていることが好ましい。
【発明の効果】
【００２２】
本発明のレンズ付きフイルムユニットは、ロール状の写真フイルムを収納するフイルムロール室と、フイルムカートリッジを収納するカートリッジ室とを有するユニット本体が、前記カートリッジ室内を光密に封止するカートリッジ室封止部材を備えてなるレンズ付きフイルムユニットにおいて、前記カートリッジ室封止部材の外表面に、粘着性のテープを離剥する離剥作用部が形成されているので、開放されたカートリッジ室封止部材を粘着性のテープで固定することができず、不正規なフイルム詰め替えを効果的に防止することができる。
【００２３】
前記ユニット本体は、前記フイルムロール室内を光密に封止するフイルムロール室封止部材を更に備え、このフイルムロール室封止部材の外表面に、前記離剥作用部が形成されているので、開放されたフイルムロール室封止部材も粘着性のテープで固定することができず、不正規なフイルム詰め替えを更に効果的に防止することができる。
【００２４】
前記カートリッジ室封止部材は、前記カートリッジ室を封止する際に、その一端が接合された前記ユニット本体の面に対して傾斜するように、その他端が前記カートリッジ室内に係着されるので、カートリッジ室封止部材が開放された後にユニット本体が紙箱で覆われたとしても、紙箱とカートリッジ室封止部材との間に隙間が生じ、この紙箱内でカートリッジ室封止部材が開く。これにより、光密性に対する信頼性が大幅に低下するので、不正規なフイルム詰め替えを更に効果的に防止することができる。
【００２５】
前記カートリッジ室封止部材の前記他端に係止爪が設けられ、前記カートリッジ室内にこの係止爪と係着する係止孔が設けられ、封止された前記カートリッジ室を開放する際に、この係止孔に係着された係止爪が破壊されるので、カートリッジ室封止部材が開放される際に破壊される部分が軽微に抑えられ、製造元メーカーでのユニット本体の再利用に弊害を与えない。
【００２６】
前記フイルムロール室封止部材は、前記フイルムロール室を封止する際に、その一端が接合された前記ユニット本体の面に対して傾斜するように、その他端が前記フイルムロール室内に係着されるので、フイルムロール室封止部材が開放された後にユニット本体が紙箱で覆われたとしても、紙箱とフイルムロール室封止部材との間に隙間が生じ、この紙箱内でフイルムロール室封止部材が開く。これにより、光密性に対する信頼性が大幅に低下するので、不正規なフイルム詰め替えを更に効果的に防止することができる。
【００２７】
前記フイルムロール室封止部材の前記他端に係止爪が設けられ、前記フイルムロール室内にこの係止爪と係着する係止孔が設けられ、封止された前記フイルムロール室を開放する際に、この係止孔に係着された係止爪が破壊されるので、フイルムロール室封止部材が開放される際に破壊される部分が軽微に抑えられ、製造元メーカーでのユニット本体の再利用に弊害を与えない。
【００２８】
前記ユニット本体には、ストラップの取り付けを可能とするストラップホルダーが設けられているので、グリップ性の低い離剥作用部を撮影者が手で持つ場合には、ストラップに手を通すことにより落下事故が防止される。
【発明を実施するための最良の形態】
【００２９】
図１において、レンズ付きフイルムユニット２は、不透明な樹脂で形成された前カバー３ａ及び後カバー３ｂによって包囲されたユニット本体３と、このユニット本体３を中央部分を帯状に覆う紙製の外装体４とを備える。図示しないが、ユニット本体３には、シャッタ機構、フイルム巻上げ機構、ストロボ装置等の各種撮影機構が内蔵されている
【００３０】
ユニット本体３の前面には、撮影レンズ５、ファインダ対物窓６、ストロボ発光部７、ストロボ撮影時に予め操作される充電操作つまみ８が設けられている。ユニット本体３の上面には、レリーズボタン９、残りの撮影可能コマ数を表示するカウンタ窓１０、ストロボ発光の準備が完了したことを知らせるパイロットランプ１１が設けられている。ユニット本体３の背面には、１コマの撮影ごとに回転操作される巻上げノブ１２の一部が露呈されている。ユニット本体３の左側面には、環状のストラップ１３を結び付けるためのストラップホルダー１４が設けられている。
【００３１】
前カバー３ａのレリーズボタン９側には、半円筒状に前方に突出したグリップ部１５が形成されている。撮影者は、通常、ストラップ１３の環状部に通した手でこのグリップ部１５を握り、レリーズボタン９の押圧操作を行う。
【００３２】
ユニット本体３の外表面の一部（図中のドットパターンを施した領域）には、粘着性のテープ等を離剥させる離剥作用部１６が形成されている。この離剥作用部１６は、離剥作用を有する離剥材（例えばシリコンを主成分とするもの）をユニット本体３の該外表面部分に塗布することによって形成され、粘着性のテープ等を自然に離剥させる。この離剥材として、より具体的には、住鉱潤滑剤株式会社によって製造されているプラスチックの射出成形に使用されるシリコン系又はフッ素系の離型剤が利用できる。なお、この離剥作用部１６は、離剥作用を有する素材（例えばシリコンを主成分とするもの）で形成してもよい。また、この離剥作用部１６の表面を凹凸状に加工し、テープが接する面積を小さくすることで、離剥作用をさらに高めることができる。
【００３３】
外装体４は、それに形成された各開口から撮影レンズ５，ファインダ対物窓６，カウンタ窓１０、パイロットランプ１１等を外部に露呈させている。この外装体４は、ユニット本体３の外見上見苦しい部分を覆って見栄えをよくするとともに、商品名や説明などが記載されている。
【００３４】
図２において、ユニット本体３に内蔵される本体基部２０には、その中央部に撮影レンズ５からの光を規制して、撮影コマのサイズを確定するアパーチャ２１が設けられている。また、本体基部２０には、アパーチャ２１を挟んだ両側にフイルムロール室２２とカートリッジ室２３とが設けれている。フイルムロール室２２には、予めフイルムカートリッジ３０から引き出された未露光の写真フイルム３１がロール状に巻かれた状態で装填される。カートリッジ室２３には、写真フイルム３１の撮影済み部分を撮影毎に順次巻き取って収納するフイルムカートリッジ３０が装填される。なお、写真フイルム３１及びフイルムカートリッジ３０は、レンズ付きフイルムユニット２製造時に装填される。また、フイルムカートリッジ３０には、パトローネやＡＰＳカートリッジ等の種類があり、各々異なる種類の写真フイルム３１を収納する。
【００３５】
巻上げノブ１２は、カートリッジ室２３の上部に回転自在に取り付けられており、その下部に一体に設けられた軸１２ａがフイルムカートリッジ３０のスプール３２の端部に係合する。これにより、巻上げノブ１２を回転操作すると、写真フイルム３１の撮影済み部分がフイルムカートリッジ３０内に巻き上げられるとともに、写真フイルム３１の未露光の部分がフイルムロール室２２からアパーチャ２１の背後に移動してセットされる。
【００３６】
本体基部２０の前面側には、レリーズボタン９の押圧操作に応答してシャッタ羽根を駆動するシャッタ機構や、撮影可能な残りコマ数をカウントするフイルムカウンタ機構等を構成する各種部品や、撮影レンズ５、ファインダ６を構成するレンズ、ストロボ装置等が取り付けられており、これらを覆うように前カバー３ａが装着される。
【００３７】
後カバー３ｂは、写真フイルム３１とフイルムカートリッジ３０とを収納した本体基部２０の背面側を覆う。この後カバー３ｂに一体に、底蓋（封止部材）１７，１８が不透明な樹脂によって形成されている。底蓋１７，１８は、一端の接合部１７ｂ，１８ｂが軸となって折れ曲がることで開閉動作し、それらの他端には係止爪１７ａ，１８ａが形成されている。係止爪１７ａ，１８ａは、フイルムロール室２２内及びカートリッジ室２３内に形成された係止孔２２ａ，２３ａにそれぞれ係着する。底蓋１７，１８は、フイルムロール室２２及びカートリッジ室２３を光密に封止、写真フイルム３１及びフイルムカートリッジ３０をユニット本体３の各室内に閉じ込める。
【００３８】
図３は、ユニット本体３の外表面における前述の離剥作用部１６の形成領域の一例を示す。この離剥作用部１６は、同図中ドットパターンを施した領域、すなわち、底蓋１７，１８の外表面及びユニット本体３の底面３ｃを覆い、ユニット本体３の前面、背面、左側面、右側面に連なるように前カバー３ａ及び後カバー３ｂの各外表面の一部分に形成されている。このように離剥作用部１６は、ユニット本体３の下部を覆っている。
【００３９】
このように構成されたレンズ付きフイルムユニット２は、これまでのレンズ付きフイルムユニットと同様に、レリーズボタン９の押圧操作で撮影が行われる。また、充電が完了した状態でレリーズボタン９が押圧操作されると、撮影に同期してストロボ発光部７から被写体に向けてストロボ光が照射される。ストロボ発光のための充電動作は、充電操作つまみ８を操作することで行われ、充電完了はパイロットランプ１１の点灯で確認される。
【００４０】
次に、図４（Ａ）は、フイルムカートリッジ３０がカートリッジ室２３内に光密に収納された様子を示す。このとき、底蓋１８（カートリッジ室封止部材）は、肉厚が薄く形成された接合部１８ｂが軸となってカートリッジ室２３内部まで折り曲げられ、その係止爪１８ａがカートリッジ室２３内の本体基部２０に形成された係止孔２３ａに係着し、カートリッジ室２３内を光密に保っている。このように底蓋１８が閉じられたとき、底蓋１８は、ユニット本体３の底面３ｃに対して、カートリッジ室２３の内部方向に傾斜している。
【００４１】
図４（Ｂ）は、撮影終了後にカートリッジ室２３からフイルムカートリッジ３０が取り出される様子を示す。フイルムカートリッジ３０を取り出すために底蓋１８を開放しようと底蓋１８に力が加えられると、係止孔２３ａに係着した係止爪１８ａは折れて破壊される。その結果、底蓋１８は開放され、撮影済みの写真フイルム３１を収納したフイルムカートリッジ３０は、底面３ｃ方向にスライドされて、カートリッジ室２３から引き抜かれる。
【００４２】
図５は、未露光の写真フイルム３１がフイルムロール室２２内に光密に収納された様子を示す。カートリッジ室２３の底蓋１８と同様に、底蓋１７（フイルムロール室封止部材）は、肉厚が薄く形成された接合部１７ｂが軸となってフイルムロール室２２内部まで折り曲げられ、その係止爪１７ａがフイルムロール室２２内の本体基部２０に形成された係止孔２２ａに係着し、フイルムロール室２２内を光密に保っている。このように底蓋１７は、ユニット本体３の底面３ｃに対して、フイルムロール室２２の内部方向に傾斜している。この底蓋１７を開放する際に、係止爪１７ａは折れて破壊される。
【００４３】
このように、底蓋１７，１８が開放される際に破壊される部分は、係止爪１７ａ，１８ａのみであり軽微に抑えられる。なお、接合部１７ｂ，１８ｂは、肉厚を薄くすることで底蓋１７，１８の開閉動作時の軸となったが、これに代わって、接合部１７ｂ，１８ｂを金属を用いたヒンジ（蝶番）で構成するようにしてもよい。
【００４４】
このように、カートリッジ室２３及びフイルムロール室２２の底蓋１７、１８が一旦開放されると、係止爪１７ａ，１８ａは折れてしまう。底蓋１７，１８が開放された後、不正な業者等がフイルムカートリッジ３０及び写真フイルム３１の詰め替えを行い、底蓋１７，１８とその周辺部とを粘着性のテープで固定し、その隙間を目張りすることによりレンズ付きフイルムユニット２を再利用しようとしても、底蓋１７，１８を覆うように離剥作用部１６が形成されているため、テープを固定することはできず、カートリッジ室２３及びフイルムロール室２２を光密に保つことは困難となる。
【００４５】
また、当該業者がユニット本体３全体を紙箱で覆うことにより、上記テープ止めの目隠し及び遮光の補強を行おうとしても、本発明のレンズ付きフイルムユニット２では、図４及び図５に示したように、底蓋１７，１８はユニット本体３の底面３ｃに対して傾斜しているため、紙箱と底蓋１７，１８との間には隙間が生じ、また、底蓋１７，１８に貼り付けようとしたテープは剥がれやすくなっているため、この紙箱内で底蓋１７，１８が開くことにより光密性に対する信頼性が大幅に低下する。
【００４６】
このような作用を行う本発明のレンズ付きフイルムユニット２は、グリップ部１５の一部にも離剥作用部１６が形成されているため、グリップ部１５のグリップ性が低下する。レンズ付きフイルムユニット２は、ストラップホルダー１４により環状のストラップ１３をユニット本体３に取り付けることができるため、撮影者はストラップ１３の環状部に手を通してグリップ部１５を保持することで、レンズ付きフイルムユニット２の落下事故を防止することができる。
【００４７】
なお、上記実施形態では、離剥作用部１６をユニット本体３の下部を覆うように形成したが、底蓋１７，１８がテープで固定されないようにするためには、少なくともカートリッジ室２３及びフイルムロール室２２の底蓋１７，１８の外表面に離剥作用部１６が形成されていればよい。従って、離剥作用部１６は、底蓋１７，１８の外表面を含むようにユニット本体３の外表面の適宜領域に形成してよい。ユニット本体３の外表面全体に離剥作用部１６を形成してもよいことは言うまでもない。
【００４８】
また、上記実施形態では、カートリッジ室２３とフイルムロール室２２とに底蓋１７，１８を設けたが、フイルムロール室２２の底蓋１７は設けなくてもよく、少なくともフイルムカートリッジ３０が引き出されるカートリッジ室２３にのみ底蓋を設ければよい。
【図面の簡単な説明】
【００４９】
【図１】レンズ付きフイルムユニットの概観斜視図である。
【図２】レンズ付きフイルムユニットの分解斜視図である。
【図３】レンズ付きフイルムユニットの前面、背面、左側面、右側面、底面を示す図である。
【図４】（Ａ）は図３中のＡ−Ａ線に沿うカートリッジ室の断面図であり、（Ｂ）はフイルムカートリッジが取り出される様子を示す断面図である。
【図５】図３中のＢ−Ｂ線に沿うフイルムロール室の断面図である。
【符号の説明】
【００５０】
２    レンズ付きフイルムユニット
３    ユニット本体
３ａ    前カバー
３ｂ    後カバー
３ｃ    底面
１３    ストラップ
１４    ストラップホルダー
１５    グリップ部
１６    離剥作用部
１７    底蓋（フイルムロール室封止部材）
１７ａ    係止爪
１７ｂ    接合部
１８    底蓋（カートリッジ室封止部材）
１８ａ    係止爪
１８ｂ    接合部
２０    本体基部
２２    フイルムロール室
２２ａ    係止孔
２３    カートリッジ室
２３ａ    係止孔
３０    フイルムカートリッジ
３１    写真フイルム
【図１】
2005099201.tif 000003
【図２】
2005099201.tif 000004
【図３】
2005099201.tif 000005
【図４】
2005099201.tif 000006
【図５】
2005099201.tif 000007